(57)【要約】【課題】車両の乗員の作業負荷が相対的に高い場合であっても、車両の乗員にデジタルサイネージに表示される情報の内容を把握させることが可能なデジタルサイネージ制御装置等を提供する。【解決手段】所定の道路の周辺に配置されるデジタルサイネージに所定の情報を表示させる表示制御部と、乗員がデジタルサイネージを視認可能な道路上の所定範囲内に位置する車両を検出する対象車両検出部と、車両の乗員の作業負荷状態に関する情報である作業負荷情報を取得する作業負荷情報取得部と、を備え、表示制御部は、作業負荷情報に応じて、デジタルサイネージに表示させる所定の情報の粒度を変化させる。【選択図】図１０
2019032681.tif 000002
【特許請求の範囲】
【請求項１】
所定の道路の周辺に配置されるデジタルサイネージに所定の情報を表示させる表示制御部と、
乗員が前記デジタルサイネージを視認可能な前記道路上の所定範囲内に位置する車両を検出する対象車両検出部と、
前記車両の乗員の作業負荷状態に関する情報である作業負荷情報を取得する作業負荷情報取得部と、を備え、
前記表示制御部は、前記作業負荷情報に応じて、前記デジタルサイネージに表示させる前記所定の情報の粒度を変化させる、
デジタルサイネージ制御装置。
【請求項２】
前記作業負荷情報取得部は、前記車両の運転者の運転負荷に関する情報、及び前記車両の乗員が前記デジタルサイネージを視認するための視認作業負荷に関する情報の少なくとも一方を含む前記作業負荷情報を取得する、
請求項１に記載のデジタルサイネージ制御装置。
【請求項３】
前記作業負荷情報取得部は、前記運転負荷が相対的に高い場合、前記運転負荷が相対的に低い場合より前記デジタルサイネージに表示させる前記所定の情報の粒度を粗くする、
請求項２に記載のデジタルサイネージ制御装置。
【請求項４】
前記運転負荷に関する情報には、前記車両の自動運転レベルに関する情報が含まれ、
前記表示制御部は、前記自動運転レベルが相対的に低い場合、前記自動運転レベルが相対的に高い場合より前記デジタルサイネージに表示させる前記所定の情報の粒度を粗くする、
請求項３に記載のデジタルサイネージ制御装置。
【請求項５】
前記表示制御部は、前記視認作業負荷が相対的に高い場合、前記視認作業負荷が相対的に低い場合より前記デジタルサイネージに表示させる前記所定の情報の粒度を粗くする、
請求項２乃至４の何れか一項に記載のデジタルサイネージ制御装置。
【請求項６】
前記視認作業負荷に関する情報には、前記車両と前記デジタルサイネージとの距離に関する情報が含まれ、
前記表示制御部は、前記距離が相対的に遠い場合、前記距離が相対的に近い場合より前記デジタルサイネージに表示させる前記所定の情報の粒度を粗くする、
請求項５に記載のデジタルサイネージ制御装置。
【請求項７】
前記運転負荷に関する情報、及び前記視認作業負荷に関する情報には、前記車両の車速に関する情報が含まれ、
前記表示制御部は、前記車速が相対的に高い場合、前記車速が相対的に低い場合より前記デジタルサイネージに表示させる前記所定の情報の粒度を粗くする、
請求項２乃至６の何れか一項に記載のデジタルサイネージ制御装置。
【請求項８】
前記表示制御部は、前記所定の情報の内容として含めることが可能な複数の詳細情報のうち、前記所定の情報の内容に実際に含める詳細情報の数を変化させることにより、前記デジタルサイネージに表示させる前記所定の情報の粒度を変化させる、
請求項１乃至７の何れか一項に記載のデジタルサイネージ制御装置。
【請求項９】
前記表示制御部は、前記複数の詳細情報のそれぞれに対して予め規定される優先度に応じて、前記複数の詳細情報の中から前記所定の情報の内容に実際に含める詳細情報を決定する、
請求項８に記載のデジタルサイネージ制御装置。
【請求項１０】
デジタルサイネージ制御装置により実行されるデジタルサイネージ制御方法であって、
所定の道路の周辺に配置されるデジタルサイネージに所定の情報を表示させる表示制御ステップと、
乗員が前記デジタルサイネージを視認可能な前記道路上の所定範囲内に位置する車両を検出する対象車両検出ステップと、
前記車両の乗員の作業負荷状態に関する情報である作業負荷情報を取得する作業負荷情報取得ステップと、を含み、
前記表示制御ステップでは、前記作業負荷情報に応じて、前記デジタルサイネージに表示させる前記所定の情報の粒度を変化させる、
デジタルサイネージ制御方法。
【請求項１１】
コンピュータに、
所定の道路の周辺に配置されるデジタルサイネージに所定の情報を表示させる表示制御ステップと、
乗員が前記デジタルサイネージを視認可能な前記道路上の所定範囲内に位置する車両を検出する対象車両検出ステップと、
前記車両の乗員の作業負荷状態に関する情報である作業負荷情報を取得する作業負荷情報取得ステップと、を実行させるプログラムであって、
前記表示制御ステップでは、前記作業負荷情報に応じて、前記デジタルサイネージに表示させる前記所定の情報の粒度を変化させる、
プログラム。
【請求項１２】
請求項１１に記載のプログラムを記録したコンピュータ読み取り可能な記録媒体。
【発明の詳細な説明】
【技術分野】
【０００１】
本発明は、デジタルサイネージ制御装置等に関する。
【背景技術】
【０００２】
車両に乗車している運転者を含む車両の乗員向けのデジタルサイネージが知られている（例えば、特許文献１等参照）。
【先行技術文献】
【特許文献】
【０００３】
【特許文献１】米国特許出願公開第２０１６／０１８０７０９号明細書
【発明の概要】
【発明が解決しようとする課題】
【０００４】
しかしながら、車両の乗員の作業負荷が何等かの理由で相対的に高くなると、走行中の車両からデジタルサイネージを視認可能な時間の中で、デジタルサイネージに表示されている情報の内容を車両の乗員に把握させることができない可能性がある。例えば、運転者は、運転操作のための作業負荷（以下、「運転負荷」と称する）が相対的に高くなると、デジタルサイネージを十分に確認する余裕がなくなる可能性がある。また、例えば、デジタルサイネージと車両との位置関係等に応じて、乗員からデジタルサイネージの内容が相対的に見にくい状況にある等により、デジタルサイネージを視認するための作業負荷（以下、「視認作業負荷」と称する）自体が高くなると、乗員は、デジタルサイネージの内容を十分に把握できない可能性がある。
【０００５】
そこで、上記課題に鑑み、車両の乗員の作業負荷が相対的に高い場合であっても、車両の乗員にデジタルサイネージに表示される情報の内容を把握させることが可能なデジタルサイネージ制御装置等を提供することを目的とする。
【課題を解決するための手段】
【０００６】
上記目的を達成するため、本発明の一実施形態では、
所定の道路の周辺に配置されるデジタルサイネージに所定の情報を表示させる表示制御部と、
乗員が前記デジタルサイネージを視認可能な前記道路上の所定範囲内に位置する車両を検出する対象車両検出部と、
前記車両の乗員の作業負荷状態に関する情報である作業負荷情報を取得する作業負荷情報取得部と、を備え、
前記表示制御部は、前記作業負荷情報に応じて、前記デジタルサイネージに表示させる前記所定の情報の粒度を変化させる、
デジタルサイネージ制御装置が提供される。
【０００７】
本実施形態によれば、表示制御部は、車両の乗員の作業負荷状態に応じて、デジタルサイネージに表示される情報の粒度を変化させることができるため、例えば、何らかの理由で乗員の作業負荷が高いと判断できる場合に、デジタルサイネージに表示される情報の粒度を粗くすることができる。従って、乗員がデジタルサイネージに表示される情報を把握しにくい状況であっても、車両の乗員にデジタルサイネージに表示される情報の内容を把握させることができる。
【０００８】
また、上述の実施形態において、
前記作業負荷情報取得部は、前記車両の運転者の運転負荷に関する情報、及び前記車両の乗員が前記デジタルサイネージを視認するための視認作業負荷に関する情報の少なくとも一方を含む前記作業負荷情報を取得してもよい。
【０００９】
本実施形態によれば、表示制御部は、作業負荷情報として、運転者の運転負荷に関する情報や乗員の視認作業負荷に関する情報を利用し、具体的に、運転負荷や視認作業負荷の状況に合わせて、デジタルサイネージに表示される情報の粒度を変化させることができる。
【００１０】
また、上述の実施形態において、
前記作業負荷情報取得部は、前記運転負荷が相対的に高い場合、前記運転負荷が相対的に低い場合より前記デジタルサイネージに表示させる前記所定の情報の粒度を粗くしてもよい。
【００１１】
本実施形態によれば、運転者の運転負荷が相対的に高く、運転者がデジタルサイネージに表示される情報を把握しにくい状況で、表示される情報の粒度が相対的に粗くなる。従って、このような状況であっても、車両の運転者にデジタルサイネージに表示される情報の内容を把握させることができる。
【００１２】
また、上述の実施形態において、
前記運転負荷に関する情報には、前記車両の自動運転レベルに関する情報が含まれ、
前記表示制御部は、前記自動運転レベルが相対的に低い場合、前記自動運転レベルが相対的に高い場合より前記デジタルサイネージに表示させる前記所定の情報の粒度を粗くしてもよい。
【００１３】
本実施形態によれば、車両の自動運転レベルが相対的に低いことにより、運転者の運転負荷が相対的に高くなり、運転者がデジタルサイネージに表示される情報を把握しにくいような状況で、表示される情報の粒度が相対的に粗くなる。従って、このような状況であっても、車両の運転者にデジタルサイネージに表示される情報の内容を把握させることができる。
【００１４】
また、上述の実施形態において、
前記表示制御部は、前記視認作業負荷が相対的に高い場合、前記視認作業負荷が相対的に低い場合より前記デジタルサイネージに表示させる前記所定の情報の粒度を粗くしてもよい。
【００１５】
本実施形態によれば、例えば、曲路に設けられるデジタルサイネージ等のように、車両の乗員がデジタルサイネージを視認するための視認作業負荷が相対的に高くなる状況で、デジタルサイネージに表示される情報の粒度が相対的に粗くなる。従って、このような状況であっても、車両の乗員にデジタルサイネージに表示される情報の内容を把握させることができる。
【００１６】
また、上述の実施形態において、
前記視認作業負荷に関する情報には、前記車両と前記デジタルサイネージとの距離に関する情報が含まれ、
前記表示制御部は、前記距離が相対的に遠い場合、前記距離が相対的に近い場合より前記デジタルサイネージに表示させる前記所定の情報の粒度を粗くしてもよい。
【００１７】
本実施形態によれば、車両とデジタルサイネージとの間の距離が相対的に遠いことにより、車両の乗員がデジタルサイネージを視認するための視認作業負荷が相対的に高くなるような状況で、表示される情報の粒度が相対的に粗くなる。従って、このような状況であっても、車両の乗員にデジタルサイネージに表示される情報の内容を把握させることができる。
【００１８】
また、上述の実施形態において、
前記運転負荷に関する情報、及び前記視認作業負荷に関する情報には、前記車両の車速に関する情報が含まれ、
前記表示制御部は、前記車速が相対的に高い場合、前記車速が相対的に低い場合より前記デジタルサイネージに表示させる前記所定の情報の粒度を粗くしてもよい。
【００１９】
本実施形態によれば、車速が相対的に高くなると、運転操作における各種判断の早期化が求められ、運転負荷が高くなると共に、デジタルサイネージの情報を確認するためのより高い動体視力が求められ、視認作業負荷が高くなるところ、このような状況で、表示される情報の粒度が相対的に粗くなる。従って、このような状況であっても、車両の運転者を含む乗員にデジタルサイネージに表示される情報の内容を把握させることができる。
【００２０】
また、上述の実施形態において、
前記表示制御部は、前記所定の情報の内容として含めることが可能な複数の詳細情報のうち、前記所定の情報の内容に実際に含める詳細情報の数を変化させることにより、前記デジタルサイネージに表示させる前記所定の情報の粒度を変化させてもよい。
【００２１】
本実施形態によれば、表示制御部は、例えば、商品の広告情報をデジタルサイネージに表示させる場合、広告情報を構成可能な商品のブランド名、キャッチフレーズ、商品写真等の複数の詳細情報の組み合わせを変化させることにより、具体的に、情報の粒度を変化させることができる。
【００２２】
また、上述の実施形態において、
前記表示制御部は、前記複数の詳細情報のそれぞれに対して予め規定される優先度に応じて、前記複数の詳細情報の中から前記所定の情報の内容に実際に含める詳細情報を決定してもよい。
【００２３】
本実施形態によれば、表示制御部は、予め規定される優先度に従い、優先度が高い詳細情報を優先的に表示させる情報に含める態様を採用することで、具体的に、情報の粒度を変化させることができる。また、例えば、車両の乗員がデジタルサイネージに表示される情報を把握する上で、寄与度が高い詳細情報に対して、高い優先度を予め規定しておく等により、車両の乗員にデジタルサイネージに表示される情報の内容をより確実に把握させることができる。
【発明の効果】
【００２４】
上述の実施形態によれば、車両の乗員の作業負荷が相対的に高い場合であっても、車両の乗員にデジタルサイネージに表示される情報の内容を把握させることが可能なデジタルサイネージ制御装置等を提供することができる。
【図面の簡単な説明】
【００２５】
【図１】広告配信システムの構成の一例を概略的に示す図である。
【図２】車両（マスタＥＣＵ）の機能的な構成の一例を示す機能ブロック図である。
【図３】移動情報管理サーバ（処理装置）の機能的な構成の一例を示す機能ブロック図である。
【図４】広告配信サーバ（処理装置）の機能的な構成の一例を示す機能ブロック図である。
【図５】広告情報を構成する複数の詳細情報の一例を示す図である。
【図６】広告情報を構成する複数の詳細情報の他の例を示す図である。
【図７】広告管理サーバによる情報粒度変更処理の第１例を概略的に示すフローチャートである。
【図８】広告管理サーバによる情報粒度変更処理の第２例を概略的に示すフローチャートである。
【図９】広告管理サーバによる情報粒度変更処理の第３例を概略的に示すフローチャートである。
【図１０】広告管理サーバによる情報粒度変更処理の第４例を概略的に示すフローチャートである。
【発明を実施するための形態】
【００２６】
以下、図面を参照して発明を実施するための形態について説明する。
【００２７】
［広告配信システムの構成］
まず、図１〜図４を参照して、本実施形態に係る広告配信システム１の構成について説明する。
【００２８】
図１は、本実施形態に係る広告配信システム１の構成を概略的に示す図である。図２は、本実施形態に係る車両３（マスタＥＣＵ３２）に係る機能的な構成の一例を概略的に示す機能ブロック図である。図３は、移動情報管理サーバ５（処理装置５２）の機能的な構成の一例を概略的に示す機能ブロック図である。図４は、本実施形態に係る広告管理サーバ６（処理装置６２）に係る機能的な構成の一例を概略的に示す機能ブロック図である。
【００２９】
広告配信システム１は、複数の車両３と、任意の道路の周辺、例えば、道路の路側や道路の真上等に設置される複数のデジタルサイネージ装置４と、複数の車両３と通信可能に接続される移動情報管理サーバ５と、複数のデジタルサイネージ装置４及び移動情報管理サーバ５と通信可能に接続される広告管理サーバ６を含む。詳細は後述するが、広告配信システム１は、デジタルサイネージ装置４の設置位置に隣接する道路に位置する車両３の乗員向けの広告情報を、当該デジタルサイネージ装置４に配信する。
【００３０】
尚、複数の車両３のそれぞれの広告配信システム１に関連する構成は、略同じであるため、図中には、一の車両３が代表的に示されている。また、複数のデジタルサイネージ装置４のそれぞれの広告配信システム１に関連する構成は、略同じであるため、図中には、一のデジタルサイネージ装置４が代表的に示されている。
【００３１】
車両３は、ＤＣＭ（Data Communication Module）３１と、マスタＥＣＵ（Electronic Control Unit）３２と、ＧＰＳ（Global Positioning System）モジュール３３と、車速センサ３４と、自動運転ＥＣＵ３５を含む。
【００３２】
ＤＣＭ３１は、、所定の通信ネットワークＮＷ１（例えば、多数の基地局を末端とする携帯電話網やインターネット網等。以下、通信ネットワークＮＷ２，ＮＷ３についても同様）を通じて、移動情報管理サーバ５と双方向で通信を行う通信デバイスである。ＤＣＭ３１は、ＣＡＮ（Controller Area Network）等の車載ネットワークを通じて、マスタＥＣＵ３２、自動運転ＥＣＵ３５を含む各種ＥＣＵと相互に通信可能に接続される。
【００３３】
マスタＥＣＵ３２は、車両３における所定の機能に関する各種制御処理を行う電子制御ユニットである。例えば、マスタＥＣＵ３２は、車両３の車両状態、乗員の状態等に関する各種情報（車両情報）を取得し、ＤＣＭ３１を介して、プローブ情報として移動情報管理サーバ５にアップロードする処理を行う。マスタＥＣＵ３２は、その機能が任意のハードウェア、ソフトウェア、或いはその組み合わせにより実現されてよく、例えば、ＣＰＵ（Central Processing Unit）、ＲＡＭ（Random Access Memory）、ＲＯＭ（Read Only Memory）、補助記憶装置、Ｉ／Ｏ（Input-Output interface）を含むマイクロコンピュータを中心に構成されてよい。以下、後述する自動運転ＥＣＵ３５についても同様である。マスタＥＣＵ３２は、例えば、ＲＯＭや補助記憶装置に格納される一以上のプログラムをＣＰＵ上で実行することにより実現される機能部として、車両情報取得部３２１と、プローブ情報送信部３２２を含む。
【００３４】
尚、マスタＥＣＵ３２の機能の一部は、一又は複数の他のＥＣＵにより分担されてもよい。
【００３５】
車両情報取得部３２１は、ＧＰＳモジュール３３、車速センサ３４、自動運転ＥＣＵ３５等から入力される車両情報をＲＡＭ内のバッファ等から取得する。具体的には、車両情報取得部３２１は、ＧＰＳモジュール３３から入力される車両３の位置情報を取得する。また、車両情報取得部３２１は、車速センサ３４から入力される車両３の車速に関する情報（車速情報）を取得する。また、車両情報取得部３２１は、自動運転ＥＣＵ３５から入力される自動運転機能の作動状態に関する情報（自動運転情報）を取得する。
【００３６】
尚、自動運転機能には、ＮＨＴＳＡ（The National Highway Traffic Safety Administration）或いはＳＡＥ（Society of Automotive Engineers）により規定される自動運転レベルのうちの自動運転レベル２に対応する各種運転支援機能が含まれる。各種運転支援機能には、例えば、ＡＣＣ（Adaptive Cruise Control）、ＰＣＳ（Pre-Crash Safety）、ＬＫＡ（Lane Keeping Assist）等の加速・操舵・制動の何れかに関する運転支援機能が含まれる。また、自動運転情報には、自動運転機能が作動しているか否かに関する情報が含まれる。また、自動運転情報には、ＮＨＴＳＡ或いはＳＡＥにより規定される自動運転レベルのうちの自動運転レベル２に対応する各種運転支援機能のうちの何れの運転支援機能が作動しているかに関する情報が含まれる。また、自動運転情報には、車両３が、ＮＨＴＳＡ或いはＳＡＥにより規定される自動運転レベルのうちの複数の自動運転レベルを選択可能に構成される場合、何れの自動運転レベルが選択されているかに関する情報が含まれる。
【００３７】
プローブ情報送信部３２２は、所定周期ごとに、車両情報取得部３２１により取得される各種車両情報と、各種車両情報に対応する時刻情報を含むプローブ情報を生成し、ＤＣＭ３１を介して、移動情報管理サーバ５に送信する。
【００３８】
尚、車両３から移動情報管理サーバ５に送信されるプローブ情報には、各種車両情報に対応する時刻情報が含まれなくてもよい。この場合、移動情報管理サーバ５は、車両３から車両移動情報が送信された時刻、移動情報管理サーバ５で車両移動情報が受信された時刻、或いはこれらの時刻から算出される車両３が位置情報に対応する実在位置に存在したと推定時刻等を、各種車両情報に対応する時刻情報として、車両３から受信されたプローブ情報に追加する等すればよい。
【００３９】
ＧＰＳモジュール３３は、車両３の上空の３以上、好ましくは、４以上の衛星から送信されるＧＰＳ信号を受信し、自己が搭載される車両３の位置を測位する。ＧＰＳモジュール３３は、一対一の通信線やＣＡＮ等の車載ネットワークを通じてマスタＥＣＵ３２等と通信可能に接続され、測位された車両３の位置情報は、マスタＥＣＵ３２等に入力される。
【００４０】
車速センサ３４は、車両３の車速を検出する既知の検出手段である。車速センサ３４は、一対一の通信線やＣＡＮ等の車載ネットワークを通じてマスタＥＣＵ３２等と通信可能に接続され、車両３の車速情報は、マスタＥＣＵ３２に入力される。
【００４１】
自動運転ＥＣＵ３５は、車両３の自動運転機能に関する制御処理を行う。具体的には、自動運転ＥＣＵ３５は、運転者等の乗員による操作に応じて、車両３の駆動装置、ブレーキ装置、操舵装置等を制御し、所定の自動運転機能を実現する。自動運転ＥＣＵ３５は、ＣＡＮ等の車載ネットワークを通じて、定期的に、自動運転情報をマスタＥＣＵ３２に送信する。
【００４２】
デジタルサイネージ装置４（デジタルサイネージの一例）は、所定の道路の周辺に設置され、所定の通信ネットワークＮＷ２を通じて広告管理サーバ６から配信される広告情報（広告画像）を自己の表示部（例えば、液晶ディスプレイ）に表示する。これにより、当該道路を走行する車両３や歩行する歩行者等に対して、デジタルサイネージ装置４に表示される広告情報を視認させることができる。
【００４３】
移動情報管理サーバ５は、複数の車両３からプローブ情報を収集し、蓄積させる。移動情報管理サーバ５は、通信機器５１と、処理装置５２を含む。
【００４４】
通信機器５１は、処理装置５２（具体的には、通信処理部５２１）による制御の下、所定の通信ネットワークＮＷ１，ＮＷ３を通じて、複数の車両３及び広告管理サーバ６等と双方向で通信を行うデバイスである。
【００４５】
処理装置５２は、移動情報管理サーバ５における各種制御処理を実行する。処理装置５２は、例えば、ＣＰＵ，ＲＡＭ，ＲＯＭ、補助記憶装置、Ｉ／Ｏ等を含む一又は複数のサーバコンピュータを中心に構成される。以下、広告管理サーバ６の処理装置６２についても同様である。処理装置５２は、ＲＯＭや補助記憶装置に格納される一以上のプログラムをＣＰＵ上で実行することにより実現される機能部として、通信処理部５２１と、プローブ情報蓄積処理部５２２と、車両探索部５２３と、車両情報抽出部５２４を含む。また、処理装置５２は、サーバコンピュータの補助記憶装置やサーバコンピュータに接続される外部記憶装置に規定される記憶領域としての記憶部５２９を含む。記憶部５２９は、地図情報ＤＢ（Data Base）５２９１と、車両属性情報ＤＢ５２９２と、プローブ情報ＤＢ５２９３を含む。
【００４６】
通信処理部５２１は、通信機器５１を制御し、複数の車両３及び広告管理サーバ６との間での各種信号（制御信号、情報信号等）の送受信を行う。
【００４７】
プローブ情報蓄積処理部５２２は、通信処理部５２１により複数の車両３のそれぞれから逐次受信されるプローブ情報を、記憶部５２９にプローブ情報ＤＢ５２９３として蓄積させる処理を行う。この際、プローブ情報蓄積処理部５２２は、プローブ情報に加工を施してもよく、例えば、複数の車両３のそれぞれの位置情報の時系列データに基づき、各車両３が起動されてから停止されるまでの期間ごと、即ち、１トリップごとの移動履歴に関する情報（トリップ情報）を生成し、プローブ情報ＤＢ５２９３を構築してもよい。プローブ情報ＤＢ５２９３に蓄積される車両３のプローブ情報は、対応する車両３の識別情報、例えば、ＶＩＮ（Vehicle Index Number）や所定の車両ＩＤ（Identifier）等と紐づけられる態様で、保存される。
【００４８】
尚、プローブ情報蓄積処理部５２２による上記処理は、通信処理部５２１により複数の車両３から逐次受信されるプローブ情報に対応して、リアルタイムに実行されてもよいし、定期的に、ある程度バッファされた未処理のプローブ情報に対して実行されてもよい。
【００４９】
車両探索部５２３は、通信処理部５２１により受信される広告管理サーバ６からの問い合わせ（探索要求）に応じて、複数の車両３の中から条件に適合する車両３を探索し、通信処理部５２１を介して、探索結果を広告管理サーバ６に返信する。具体的には、車両探索部５２３は、探索要求に含まれる、広告管理サーバ６による広告配信対象のデジタルサイネージ装置４に関する情報（デジタルサイネージ情報）と、地図情報ＤＢ５２９１及びプローブ情報ＤＢ５２９３に基づき、乗員が当該デジタルサイネージ装置４を視認可能な隣接する道路上の所定範囲（視認可能範囲）内に位置する車両３を探索する。デジタルサイネージ情報には、例えば、デジタルサイネージ装置４の位置情報、表示部が配置される高さに関する情報、隣接する道路とデジタルサイネージ装置４との位置関係（距離や表示部の向き等）に関する情報等が含まれうる。
【００５０】
尚、デジタルサイネージ装置４の視認可能範囲は、例えば、デジタルサイネージ装置４と隣接する道路との位置関係、デジタルサイネージ装置４の表示部が設置される高さ、車両３が移動する方向等に基づき、適宜設定される適合値である。
【００５１】
車両情報抽出部５２４は、通信処理部５２１により受信される広告管理サーバ６からの問い合わせ（車両情報要求）に応じて、車両属性情報ＤＢ５２９２及びプローブ情報ＤＢ５２９３から所望の車両情報を抽出し、通信処理部５２１を介して、抽出結果を広告管理サーバ６に返信する。車両属性情報ＤＢ５２９２には、例えば、車種に関する情報や、搭載されている自動運転機能が対応する自動運転レベル等の複数の車両３のそれぞれの属性情報、即ち、ほとんど変化しない静的或いは準静的な車両情報が格納されている。
【００５２】
尚、車両情報抽出部５２４は、問い合わせを待つことなく、車両探索部５２３による探索結果に応じて、予め規定される車両情報を抽出する態様であってもよい。この場合、広告管理サーバ６から移動情報管理サーバ５への車両情報要求の送信は、省略される。
【００５３】
広告管理サーバ６（サイネージ制御装置の一例）は、広告配信に関する処理を行う。広告管理サーバ６は、通信機器６１と、処理装置６２を含む。
【００５４】
通信機器６１は、処理装置６２（具体的には、通信処理部６２１）による制御の下、所定の通信ネットワークＮＷ２，ＮＷ３を通じて、複数のデジタルサイネージ装置４、及び移動情報管理サーバ５等と双方向で通信を行うデバイスである。
【００５５】
処理装置６２は、広告管理サーバ６における各種制御処理を実行する。処理装置６２は、ＲＯＭや補助記憶装置等に格納される一以上のプログラムをＣＰＵ上で実行することにより実現される機能部として、通信処理部６２１と、対象サイネージ情報取得部６２２と、対象車両検出部６２３と、作業負荷情報取得部６２４と、広告配信部６２５を含む。また、処理装置６２は、補助記憶装置やサーバコンピュータに接続される外部記憶装置等に規定される記憶領域としての記憶部６２９を含む。記憶部６２９は、広告ＤＢ６２９１と、サイネージ情報ＤＢ６２９２を含む。
【００５６】
通信処理部６２１は、通信機器６１を制御し、複数のデジタルサイネージ装置４、及び移動情報管理サーバ５等との間で各種信号（情報信号、制御信号等）の送受信を行う。
【００５７】
対象サイネージ情報取得部６２２は、インターネット網等のネットワーク経由或いはサーバコンピュータの入力装置から入力（入稿）される所定の広告の配信対象となるデジタルサイネージ装置４に関する情報を、サイネージ情報ＤＢ６２９２から取得する。具体的には、対象サイネージ情報取得部６２２は、サイネージ情報ＤＢ６２９２から、配信対象のデジタルサイネージ装置４の位置情報、表示部が配置される高さの情報、隣接する道路との位置関係に関する情報等を取得する。
【００５８】
尚、広告ＤＢ６２９１には、入稿された広告の内容に相当する広告データ（例えば、広告画像等）の他、当該広告によりユーザを誘導したい誘導先（広告の対象商品等を販売する実店舗等）に関する情報（誘導先情報）、当該広告のターゲットとなる対象ユーザの特性情報（ユーザ特性ターゲット情報）、当該広告のターゲットとなるロケーション（例えば、対象ユーザが多く集まるＰＯＩ（Point Of Interest）、誘導先に近いエリア、誘導先に向かうユーザが通過する可能性が高い道路リンク等）に関する情報（ロケーションターゲット情報）等が広告データに紐づけられる態様で保存されている。配信対象のデジタルサイネージ装置４は、これらのターゲット情報を総合的に勘案して決定されてよい。
【００５９】
対象車両検出部６２３は、移動情報管理サーバ５に問い合わせを行うことにより、複数の車両３の中から、所定の広告の配信対象のデジタルサイネージ装置４の視認可能範囲に位置する車両３を検出する。具体的には、対象車両検出部６２３は、通信処理部６２１を介して、対象サイネージ情報取得部により取得されたサイネージ情報を含む探索要求を移動情報管理サーバ５に送信する。これにより、上述の如く、移動情報管理サーバ５の車両探索部５２３によって、所定の広告の配信対象のデジタルサイネージ装置４の視認可能範囲に位置する車両３が探索されると共に、探索結果として、探索により見出された車両３の識別情報が返信される。従って、対象車両検出部６２３は、返信される探索結果に基づき、所定の広告の配信対象のデジタルサイネージ装置４の視認可能範囲に位置する車両３を検出することができる。
【００６０】
尚、対象車両検出部６２３は、他の方法で、デジタルサイネージ装置４の視認可能範囲に位置する車両３を検出してもよい。例えば、デジタルサイネージ装置４に、カメラ等の車両３を検出するためのセンサを搭載し、対象車両検出部６２３は、当該センサの出力情報に基づき、デジタルサイネージ装置４の視認可能範囲に位置する車両３を検出する態様であってもよい。具体的には、デジタルサイネージ装置４によって、具体的な検出処理が行われ、検出結果がデジタルサイネージ装置４から広告管理サーバ６に送信される態様であってよい。これにより、対象車両検出部６２３は、通信処理部６２１により受信されるデジタルサイネージ装置４からの検出結果に応じて、デジタルサイネージ装置４の視認可能範囲に位置する車両３を検出することができる。
【００６１】
作業負荷情報取得部６２４は、移動情報管理サーバ５に問い合わせを行うことにより、対象車両検出部６２３により検出された車両３の乗員の作業負荷に関する情報（作業負荷情報）を取得する。車両３の乗員の作業負荷には、例えば、車両３の運転者の運転操作に関する作業負荷（運転負荷）が含まれる。また、車両３の乗員の作業負荷には、車両３の乗員がデジタルサイネージ装置４を視認するための作業負荷（視認作業負荷）が含まれる。具体的には、作業負荷情報取得部６２４は、通信処理部６２１を介して、作業負荷情報として要求する車両情報等を含む車両情報要求を移動情報管理サーバ５に送信する。これにより、上述の如く、移動情報管理サーバ５の車両情報抽出部５２４によって、要求する車両情報が抽出されると共に、抽出結果として、抽出された車両情報が返信される。従って、作業負荷情報取得部６２４は、返信される抽出結果により、作業負荷情報に該当する所望の車両情報を取得することができる。作業負荷情報取得部６２４により取得される作業負荷情報の詳細は、後述する。
【００６２】
尚、車両３の乗員の作業負荷には、上述の運転負荷や視認作業負荷の他、その他の作業負荷、例えば、読書、スマートフォンによるインターネット情報の閲覧、乗員同士の会話等、車両３の乗員が行っている、運転操作やデジタルサイネージ装置４の視認以外の作業に関する作業負荷が含まれてもよい。この場合、運転操作やデジタルサイネージ装置４の視認以外の作業に関する作業負荷は、例えば、車両３に搭載される車室内を撮影するカメラの撮像画像や車室内の音声を取得するマイクの録音データ等に基づき、判断されうる。即ち、複数の車両３のそれぞれから移動情報管理サーバ５に送信されるプローブ情報に、車室内を撮像するカメラの撮像画像や車室内のマイクの録音データ、或いは、撮像画像や録音データから生成される作業負荷に関するメタ情報等が含まれるようにすればよい。
【００６３】
広告配信部６２５（表示制御部の一例）は、通信処理部６２１を介して、広告の配信対象のデジタルサイネージ装置４に広告データを送信する。これにより、広告配信部６２５は、デジタルサイネージ装置４の表示部に、広告データに相当する広告情報（広告画像）を表示させることができる。また、広告配信部６２５は、作業負荷情報取得部６２４により取得される、デジタルサイネージ装置４の視認可能範囲に位置する車両３の乗員の作業負荷情報（所定の車両情報）に応じて、デジタルサイネージ装置４に表示される広告情報の粒度（情報量）を変化させる。具体的には、広告配信部６２５は、通信処理部６２１を介して、指令信号を送信することにより、デジタルサイネージ装置４に表示される広告情報の粒度を変化させる。例えば、広告配信部６２５は、作業負荷情報取得部６２４により取得される作業負荷情報に基づき、デジタルサイネージ装置４の視認可能範囲に位置する車両３の乗員の作業負荷状態を判断する。そして、広告配信部６２５は、車両３の乗員の作業負荷が相対的に高い場合、相対的に低い場合よりデジタルサイネージ装置４に表示される広告情報の粒度を粗くする。この場合、例えば、広告配信部６２５は、完全仕様の広告情報と、完全仕様の広告情報を構成する複数の詳細情報のうちの一部の情報のみを含む一又は複数の簡易仕様の広告情報とを広告データとして、通信処理部６２１を介して、デジタルサイネージ装置４に予め配信しておく。これにより、車両３の乗員の作業負荷が相対的に高い状況では、車両３の乗員が把握可能な情報量が限られうるところ、広告情報の粒度が可変とされ、粗くなるため、このような状況であっても、車両３の乗員にデジタルサイネージ装置４に表示される広告情報を把握させることができる。
【００６４】
例えば、図５、図６は、広告情報に含まれうる複数の詳細情報の一例及び他の例を示す図である。具体的には、図５は、特定の店舗に関する広告情報に含まれうる複数の詳細情報の具体例を示す図であり、図６は、商品或いはサービスに関する広告情報に含まれうる複数の詳細情報の具体例を示す図である。
【００６５】
図５に示すように、特定の店舗に関する広告情報に含まれるうる詳細情報として、特定の店舗のブランド名称、店舗名称、位置案内情報、セール情報、クーポン情報、これら以外のその他情報の６つが規定されている。また、各詳細情報には、優先度がレベル１〜レベル６の範囲で規定されており、ブランド名称、店舗名称、位置案内情報、セール情報、クーポン情報、及びその他情報の順に、優先度が高い方から"レベル１"、"レベル２"、"レベル３"、"レベル４"、"レベル５"、及び"レベル６"が付与されている。
【００６６】
また、図６に示すように、特定の商品或いはサービス（以下、商品等と称する）に関する広告情報に含まれうる詳細情報として、特定の商品等のブランド名称、キャッチフレーズ、商品写真或いはサービスイメージ写真、キャンペーン情報、取扱店舗情報、これら以外のその他情報の６つが規定されている。また、店舗の場合と同様、各詳細情報には、優先度がレベル１〜レベル６の範囲で規定されており、ブランド名称、キャッチフレーズ、商品写真或いはサービスイメージ写真、キャンペーン情報、取扱店舗情報、及びその他情報の順に、優先度が高い方から"レベル１"、"レベル２"、"レベル３"、"レベル４"、"レベル５"、及び"レベル６"が付与されている。
【００６７】
例えば、広告配信部６２５は、広告情報の粒度を粗くする、即ち、簡易仕様の広告情報を生成する際、優先度が相対的に低い詳細情報よりも相対的に高い詳細情報の方が広告情報に含まれるようにしてよい。これにより、広告情報として必須の詳細情報や広告の効果に寄与度が高い詳細情報に対して、予め高い優先度を付与しておくことで、広告情報の粒度を粗くする場合でも、デジタルサイネージ装置４に適切な広告情報を表示させることができる。
【００６８】
尚、広告配信部６２５からの指令信号に応じて、デジタルサイネージ装置４によって、広告情報の粒度の変更処理（画像加工処理）が実施される態様であってもよい。
【００６９】
［広告配信システムの動作の詳細］
【００７０】
次に、図７〜図１０を参照して、広告配信システム１の具体的な動作について説明をする。
【００７１】
まず、図７は、本実施形態に係る広告管理サーバ６（処理装置６２）による広告情報の粒度を変化させる処理（情報粒度変更処理）の第１例を概略的に示すフローチャートである。
【００７２】
本フローチャートによる処理は、複数のデジタルサイネージ装置４のうちの所定の広告の配信対象であるデジタルサイネージ装置４ごとに実行される。また、本フローチャートによる処理は、対象車両検出部６２３により所定の広告の配信対象のデジタルサイネージ装置４の視認可能範囲に車両３が検出されると開始され、当該車両３が検出されなくなるまで繰り返し実行される。また、対象車両検出部６２３により複数の車両３が検出されている場合、当該フローチャートによる処理は、検出された複数の車両３のうち、デジタルサイネージ装置４に最も近い車両３を対象として実行されてよい。以下、図８〜図１０のフローチャートについても同様である。
【００７３】
ステップＳ７０２にて、作業負荷情報取得部６２４は、通信処理部６２１を介して、移動情報管理サーバ５に車両情報要求を送信することにより、作業負荷情報として車両３の運転者の運転負荷に関する情報（運転負荷情報）を取得する。具体的には、作業負荷情報取得部６２４は、運転負荷情報として、対象である車両３で作動中の自動運転機能の自動運転レベルに関する情報を取得する。
【００７４】
ステップＳ７０４にて、広告配信部６２５は、作業負荷情報取得部６２４により取得された、対象の車両３で作動中の自動運転機能の自動運転レベルがレベル３以上であるか否かを判定する。広告配信部６２５は、対象の車両３で作動中の自動運転機能の自動運転レベルがレベル３以上である場合、ステップＳ７０６に進み、そうでない場合、ステップＳ７０８に進む。
【００７５】
尚、車両３に自動運転機能が搭載されている場合でも、作動していない状況では、自動運転レベルは、"０"と判断される。
【００７６】
ステップＳ７０６にて、広告配信部６２５は、通信処理部６２１を介して、完全仕様の広告情報を表示させる旨の指令信号をデジタルサイネージ装置４に送信し、今回の処理を終了する。
【００７７】
一方、ステップＳ７０８にて、広告配信部６２５は、通信処理部６２１を介して、予め規定される簡易仕様の広告情報を表示させる旨の指令信号をデジタルサイネージ装置４に送信し、今回の処理を終了する。簡易仕様の広告情報は、例えば、図５、図６に示す複数の詳細情報のうち、優先度がレベル１〜レベル３の詳細情報だけを含む広告情報であってよい。以下、図８、図９の処理においても同様である。これにより、作動中の自動運転機能の自動運転レベルが相対的に低く、運転者の運転負荷が相対的に高くなるような状況、即ち、運転者がデジタルサイネージ装置４の広告情報を把握しにくい状況で、デジタルサイネージ装置４に表示される広告情報の粒度が粗くなる。従って、このような状況であっても、車両３の運転者にデジタルサイネージ装置４に表示される情報の内容を把握させることができる。
【００７８】
尚、本例では、車両３の運転者の運転負荷に関する情報として、車両３で作動中の自動運転機能の自動運転レベルを採用するが、当然の如く、他の情報を採用することが可能である。例えば、運転負荷に関する情報として、車両３が走行中の道路の混雑状況や渋滞の有無等に関する情報が含まれてもよい。道路が相対的に混雑している場合、相対的に混雑していないより、他の車両との間隔が狭くなり、運転負荷が高まると考えられるからである。
【００７９】
続いて、図８は、本実施形態に係る広告管理サーバ６（処理装置６２）による情報粒度変更処理の第２例を概略的に示すフローチャートである。
【００８０】
ステップＳ８０２にて、作業負荷情報取得部６２４は、通信処理部６２１を介して、移動情報管理サーバ５に車両情報要求を送信することにより、作業負荷情報として車両３の乗員のデジタルサイネージ装置４の広告情報を視認するための視認作業負荷に関する情報（視認作業負荷情報）を取得する。具体的には、作業負荷情報取得部６２４は、視認作業負荷情報として、対象である車両３とデジタルサイネージ装置４との間の距離に関する情報を取得する。より具体的には、作業負荷情報取得部６２４は、通信処理部６２１を介して、移動情報管理サーバ５から車両３の位置情報を取得すると共に、サイネージ情報ＤＢ６２９２から配信対象のデジタルサイネージ装置４の位置情報を取得する。そして、作業負荷情報取得部６２４は、車両３の位置情報と、デジタルサイネージ装置４の位置情報とに基づき、車両３とデジタルサイネージ装置４との間の距離を算出する。
【００８１】
ステップＳ８０４にて、広告配信部６２５は、対象である車両３とデジタルサイネージ装置４との間の距離が所定閾値以下であるか否かを判定する。広告配信部６２５は、対象である車両３とデジタルサイネージ装置４との間の距離が所定閾値以下である場合、ステップＳ８０６に進み、そうでない場合、ステップＳ８０８に進む。
【００８２】
ステップＳ８０６にて、広告配信部６２５は、通信処理部６２１を介して、完全仕様の広告情報を表示させる旨の指令信号をデジタルサイネージ装置４に送信し、今回の処理を終了する。
【００８３】
一方、ステップＳ８０８にて、広告配信部６２５は、通信処理部６２１を介して、予め規定される簡易仕様の広告情報を表示させる旨の指令信号をデジタルサイネージ装置４に送信し、今回の処理を終了する。これにより、車両３とデジタルサイネージ装置４との間の距離が相対的に遠いことにより、車両３の乗員がデジタルサイネージ装置４を視認するための視認作業負荷が相対的に高くなるような状況で、表示される広告情報の粒度が相対的に粗くなる。従って、このような状況であっても、車両３の運転者にデジタルサイネージ装置４に表示される情報の内容を把握させることができる。
【００８４】
尚、本例では、車両３の乗員がデジタルサイネージ装置の広告情報を視認するための視認作業負荷に関する情報として、車両３とデジタルサイネージ装置４との間の距離を採用するが、当然の如く、他の情報を採用することが可能である。例えば、車両３の乗員の視認作業負荷に関する情報として、デジタルサイネージ装置４に隣接する道路の曲率半径に関する情報が含まれてよい。デジタルサイネージ装置４に隣接する道路が曲路である場合、直線路である場合よりも、車両３が進行することによる車両３の乗員からのデジタルサイネージ装置４の見え方の変化が大きく、車両３の乗員の視認作業負荷が相対的に高くなると考えられるからである。
【００８５】
続いて、図９は、本実施形態に係る広告管理サーバ６（処理装置６２）による情報粒度変更処理の第３例を概略的に示すフローチャートである。
【００８６】
ステップＳ９０２にて、作業負荷情報取得部６２４は、通信処理部６２１を介して、移動情報管理サーバ５に車両情報要求を送信することにより、作業負荷情報として、運転負荷情報及び視認作業負荷の双方に該当する車両３の車速情報を取得する。
【００８７】
ステップＳ９０４にて、広告配信部６２５は、対象である車両３の車速が所定速度以下であるか否かを判定する。広告配信部６２５は、車両３の車速が所定速度以下である場合、ステップＳ９０６に進み、そうでない場合、ステップＳ９０８に進む。
【００８８】
ステップＳ９０６にて、広告配信部６２５は、通信処理部６２１を介して、完全仕様の広告情報を表示させる旨の指令信号をデジタルサイネージ装置４に送信し、今回の処理を終了する。
【００８９】
一方、ステップＳ９０８にて、広告配信部６２５は、通信処理部６２１を介して、予め規定される簡易仕様の広告情報を表示させる旨の指令信号をデジタルサイネージ装置４に送信し、今回の処理を終了する。これにより、車速が相対的に高くなると、運転操作における各種判断の早期化が求められ、運転負荷が高くなると共に、デジタルサイネージ装置４の情報を確認するためのより高い動体視力が求められ、視認作業負荷が高くなるところ、このような状況で、表示される情報の粒度が相対的に粗くなる。従って、このような状況であっても、車両３の運転者にデジタルサイネージ装置４に表示される情報の内容を把握させることができる。
【００９０】
尚、本例では、運転負荷に関する情報、及び視認作業負荷に関する情報の双方に該当する情報として、車両３の車速情報を採用するが、当然の如く、他の情報を採用することが可能である。例えば、運転負荷に関する情報、及び視認作業負荷に関する情報の双方に該当する情報として、操舵操作に関する情報、具体的には、車両３の操舵角センサ（不図示）による操舵角情報が含まれてよい。操舵操作の有無及び操舵角の大小により、運転者の運転負荷が変化し得るからである。また、上述した曲路である場合と同様、操舵角が大きくなるほど、車両３が進行することによる車両３の乗員からのデジタルサイネージ装置４の見え方の変化が大きく、車両３の乗員の視認作業負荷が相対的に高くなると考えられるからである。この場合、車両３から移動情報管理サーバ５にアップロードされるプローブ情報に、車両３の操舵角センサによる操舵角情報が含まれるようにすればよい。
【００９１】
続いて、図１０は、本実施形態に係る広告管理サーバ６（処理装置６２）による情報粒度変更処理の第４例を概略的に示すフローチャートである。
【００９２】
ステップＳ１００２にて、作業負荷情報取得部６２４は、通信処理部６２１を介して、移動情報管理サーバ５に車両情報要求を送信することにより、作業負荷情報として、複数の種類の情報を取得する。例えば、作業負荷情報取得部６２４は、車両３で作動中の自動運転機能の自動運転レベルに関する情報、車両３とデジタルサイネージ装置４との間の距離に関する情報、及び、車両３の車速に関する情報を取得する。
【００９３】
ステップＳ１００４にて、広告配信部６２５は、取得された複数の種類の情報に基づき、車両３の乗員の作業負荷の高低を示す、複数段階の作業負荷レベルを判断する。本例では、広告配信部６２５は、作業負荷が最も低いレベル１から最も高いレベル３までの３段階で、対象である車両３の乗員の作業負荷がどのレベルに該当するかを判断する。例えば、複数の種類の情報のそれぞれに対して予め設定される条件、例えば、図７〜図９におけるステップＳ７０４，Ｓ８０４，Ｓ９０４の判定条件の成否の組み合わせごとに、レベル１〜レベル３の何れに該当するかを予め規定したマップ等が規定されてもよい。また、例えば、複数の種類の情報のそれぞれに対する作業負荷への影響度を示す得点を算出するマップ等、及び複数の種類の情報のそれぞれに対応する得点の合計値が高くなるほど乗員の作業負荷が高くなる態様で、合計値と作業負荷レベル（レベル１〜レベル３）とが対応付けられた対応関係のマップ等が予め規定されてもよい。これにより、広告配信部６２５は、当該マップ等に基づき、作業負荷レベルを判断することができる。
【００９４】
ステップＳ１００６にて、広告配信部６２５は、作業負荷レベルが最も低いレベル１であるか否かを判定する。広告配信部６２５は、作業負荷レベルがレベル１である場合、ステップＳ１００８に進み、そうでない場合、ステップＳ１０１０に進む。
【００９５】
ステップＳ１００８にて、広告配信部６２５は、通信処理部６２１を介して、完全仕様の広告情報を表示させる旨の指令信号をデジタルサイネージ装置４に送信し、今回の処理を終了する。
【００９６】
一方、ステップＳ１０１０にて、広告配信部６２５は、作業負荷レベルがレベル２であるか否かを判定する。広告配信部６２５は、作業負荷レベルがレベル２である場合、ステップＳ１０１２に進み、そうでない場合、即ち、レベル３である場合、ステップＳ１０１４に進む。
【００９７】
ステップＳ１０１２にて、広告配信部６２５は、通信処理部６２１を介して、予め規定される第１の簡易仕様の広告情報を表示させる旨の指令信号をデジタルサイネージ装置４に送信し、今回の処理を終了する。第１の簡易仕様の広告情報は、例えば、図５、図６に示す複数の詳細情報のうち、優先度がレベル１〜レベル３の詳細情報だけを含む広告情報であってよい。
【００９８】
一方、ステップＳ１０１４にて、広告配信部６２５は、通信処理部６２１を介して、予め規定される第２の簡易仕様の広告情報を表示させる旨の指令信号をデジタルサイネージ装置４に送信し、今回の処理を終了する。第２の簡易仕様の広告情報は、第１の簡易仕様の広告情報より更に粒度が粗い、即ち、情報量が少なく、例えば、図５、図６に示す複数の詳細情報のうち、優先度がレベル１〜レベル２の詳細情報だけを含む広告情報であってよい。
【００９９】
本例では、作業負荷情報として複数の種類の情報を用いることにより、総合的に、車両３の作業負荷状態を判断することができる。また、本例では、車両３の乗員の作業負荷状態に応じて、デジタルサイネージ装置４に表示される広告情報の粒度が３段階で変更可能であるため、広告情報の情報量と車両３の乗員による広告情報の把握の促進とのバランスをより細かく調整することができる。
【０１００】
［作用］
このように、本実施形態では、対象車両検出部６２３は、デジタルサイネージ装置４の視認可能範囲内に位置する車両３を検出し、作業負荷情報取得部６２４は、車両３の乗員の作業負荷状態に関する情報である作業負荷情報を取得する。そして、広告配信部６２５は、作業負荷情報に応じて、デジタルサイネージ装置４に表示させる広告情報の粒度を変化させる。これにより、広告配信部６２５は、例えば、何らかの理由で乗員の作業負荷が高いと判断できる場合に、デジタルサイネージ装置４に表示される広告情報の粒度を粗くすることができる。従って、乗員がデジタルサイネージ装置４に表示される広告情報を把握しにくい状況であっても、車両３の乗員にデジタルサイネージ装置４に表示される広告情報の内容を把握させることができる。
【０１０１】
また、本実施形態では、作業負荷情報取得部６２４は、車両３の運転者の運転負荷に関する情報、及び車両３の乗員がデジタルサイネージ装置４を視認するための視認作業負荷に関する情報の少なくとも一方を含む作業負荷情報を取得する。これにより、広告配信部６２５は、作業負荷情報として、運転者の運転負荷情報や乗員の視認作業負荷情報を利用し、具体的に、運転負荷や視認作業負荷の状況に合わせて、デジタルサイネージ装置４に表示される広告情報の粒度を変化させることができる。
【０１０２】
また、本実施形態では、作業負荷情報取得部６２４は、車両３の運転者の運転負荷が相対的に高い場合、運転負荷が相対的に低い場合よりデジタルサイネージ装置４に表示させる広告情報の粒度を粗くする。これにより、運転者の運転負荷が相対的に高く、運転者がデジタルサイネージ装置４に表示される広告情報を把握しにくい状況で、デジタルサイネージ装置４に表示される広告情報の粒度が相対的に粗くなる。従って、このような状況であっても、車両３の運転者にデジタルサイネージ装置４に表示される広告情報の内容を把握させることができる。
【０１０３】
また、本実施形態では、運転負荷情報には、車両３で作動中の自動運転機能の自動運転レベルに関する情報が含まれる。そして、広告配信部６２５は、車両３で作動中の自動運転機能の自動運転レベルが相対的に低い場合、自動運転レベルが相対的に高い場合よりデジタルサイネージ装置４に表示させる広告情報の粒度を粗くする。これにより、車両３で作動中の自動運転機能の自動運転レベルが相対的に低いことにより、運転者の運転負荷が相対的に高くなり、運転者がデジタルサイネージ装置４に表示される広告情報を把握しにくいような状況で、表示される広告情報の粒度が相対的に粗くなる。従って、このような状況であっても、車両３の運転者にデジタルサイネージ装置４に表示される広告情報の内容を把握させることができる。
【０１０４】
また、本実施形態では、広告配信部６２５は、車両３の乗員の視認作業負荷が相対的に高い場合、視認作業負荷が相対的に低い場合よりデジタルサイネージ装置４に表示させる広告情報の粒度を粗くする。これにより、例えば、曲路に設けられるデジタルサイネージ装置４等のように、車両３の乗員がデジタルサイネージ装置４を視認するための視認作業負荷が相対的に高くなる状況で、デジタルサイネージ装置４に表示される広告情報の粒度が相対的に粗くなる。従って、このような状況であっても、車両３の乗員にデジタルサイネージ装置４に表示される広告情報の内容を把握させることができる。
【０１０５】
また、本実施形態では、視認作業負荷情報には、車両３とデジタルサイネージ装置４との距離に関する情報が含まれる。そして、広告配信部６２５は、車両３とデジタルサイネージ装置４との距離が相対的に遠い場合、距離が相対的に近い場合よりデジタルサイネージ装置４に表示させる広告情報の粒度を粗くする。これにより、車両３とデジタルサイネージ装置４との間の距離が相対的に遠いことにより、車両３の乗員がデジタルサイネージ装置４を視認するための視認作業負荷が相対的に高くなるような状況で、表示される広告情報の粒度が相対的に粗くなる。従って、このような状況であっても、車両３の乗員にデジタルサイネージに表示される広告情報の内容を把握させることができる。
【０１０６】
また、本実施形態では、作業負荷情報には、運転負荷情報、及び視認作業負荷情報の双方に該当する、車両３の車速に関する情報が含まれる。そして、広告配信部６２５は、車両３の車速が相対的に高い場合、車速が相対的に低い場合よりデジタルサイネージ装置に表示させる広告情報の粒度を粗くする。これにより、車速が相対的に高くなると、運転操作における各種判断の早期化が求められ、運転負荷が高くなると共に、デジタルサイネージ装置４の情報を確認するためのより高い動体視力が求められ、視認作業負荷が高くなるところ、このような状況で、表示される情報の粒度が相対的に粗くなる。従って、このような状況であっても、車両３の運転者を含む乗員にデジタルサイネージに表示される情報の内容を把握させることができる。
【０１０７】
また、本実施形態では、広告配信部６２５は、広告情報の内容として含めることが可能な複数の詳細情報のうち、広告情報の内容に実際に含める詳細情報の数を変化させることにより、デジタルサイネージ装置４に表示させる広告情報の粒度を変化させる。従って、広告配信部６２５は、例えば、商品の広告情報をデジタルサイネージ装置４に表示させる場合、広告情報を構成可能な商品のブランド名、キャッチフレーズ、商品写真等の複数の詳細情報の組み合わせを変化させることにより、具体的に、情報の粒度を変化させることができる。
【０１０８】
また、本実施形態では、広告配信部６２５は、複数の詳細情報のそれぞれに対して予め規定される優先度に応じて、複数の詳細情報の中から広告情報の内容に実際に含める詳細情報を決定する。これにより、広告配信部６２５は、予め規定される優先度に従い、優先度が高い詳細情報を優先的に表示させる広告情報に含める態様を採用することで、具体的に、広告情報の粒度を変化させることができる。また、例えば、車両３の乗員がデジタルサイネージ装置４に表示される広告情報を把握する上で、寄与度が高い詳細情報に対して、高い優先度を予め規定しておく等により、車両３の乗員にデジタルサイネージ装置４に表示される広告情報の内容をより確実に把握させることができる。
【０１０９】
以上、本発明を実施するための形態について詳述したが、本発明はかかる特定の実施形態に限定されるものではなく、特許請求の範囲に記載された本発明の要旨の範囲内において、種々の変形・変更が可能である。
【０１１０】
例えば、上述した実施形態において、移動情報管理サーバ５及び広告管理サーバ６の機能は、１つのサーバにより実現されてもよい。
【０１１１】
また、上述した実施形態において、移動情報管理サーバ５及び広告管理サーバ６の各機能は、移動情報管理サーバ５及び広告管理サーバ６の双方と通信可能な他のサーバに分担されてもよい。
【０１１２】
また、上述した実施形態において、対象車両検出部６２３、及び作業負荷情報取得部６２４の機能、並びに、広告配信部６２５における情報粒度変更処理に対応する部分の機能
の一部又は全部は、デジタルサイネージ装置４に設けられてもよい。
【０１１３】
また、上述した実施形態において、デジタルサイネージ装置４には、広告情報が表示されるが、広告情報以外の情報が表示されてもよい。例えば、デジタルサイネージ装置４には、当該デジタルサイネージ装置４が設置されるエリアの公的なイベント等に関する情報が表示されてもよい。この場合についても、上述した実施形態と同様、対象となる車両３の作業負荷状態に応じて、デジタルサイネージ装置４に表示される情報の粒度が変化することにより、同様の作用・効果を奏する。
【０１１４】
また、上述した実施形態では、デジタルサイネージ装置４に表示される広告情報の粒度を変化させる場合、広告情報の内容、即ち、店舗、商品、サービス等の広告対象を変化させないが、広告対象を変化させる態様であってもよい。例えば、広告情報の粒度、即ち、広告情報の情報量、及び広告対象が相互に異なる複数の広告情報が予め準備され、作業負荷情報に応じて、これらの複数の広告情報のうちの何れを表示させるかを切り換える態様であってもよい。この場合についても、上述した実施形態と同様、対象となる車両３の作業負荷状態に応じて、デジタルサイネージ装置４に表示される情報の粒度が変化することにより、同様の作用・効果を奏する。
【符号の説明】
【０１１５】
１  広告配信システム
３  車両
４  デジタルサイネージ装置
５  移動情報管理サーバ
６  広告管理サーバ（デジタルサイネージ制御装置）
３１  ＤＣＭ
３２  マスタＥＣＵ
３３  ＧＰＳモジュール
３４  車速センサ
３５  自動運転ＥＣＵ
５１  通信機器
５２  処理装置
６１  通信機器
６２  処理装置
３２１  車両情報取得部
３２２  プローブ情報送信部
５２１  通信処理部
５２２  プローブ情報蓄積処理部
５２３  車両探索部
５２４  車両情報抽出部
５２９  記憶部
６２１  通信処理部
６２２  対象サイネージ情報取得部
６２３  対象車両検出部
６２４  作業負荷情報取得部
６２５  広告配信部（表示制御部）
６２９  記憶部
５２９１  地図情報ＤＢ
５２９２  車両属性情報ＤＢ
５２９３  プローブ情報ＤＢ
６２９１  広告ＤＢ
６２９２  サイネージ情報ＤＢ
【図１】
2019032681.tif 000003
【図２】
2019032681.tif 000004
【図３】
2019032681.tif 000005
【図４】
2019032681.tif 000006
【図５】
2019032681.tif 000007
【図６】
2019032681.tif 000008
【図７】
2019032681.tif 000009
【図８】
2019032681.tif 000010
【図９】
2019032681.tif 000011
【図１０】
2019032681.tif 000012